(57)【特許請求の範囲】
【請求項１】
紫外線強度または放射線強度を測定し、紫外線強度情報または放射線強度情報を取得す
る測定部と、
情報処理端末の地面からの高さを測定し、高さ情報を取得する高さ測定部と、
情報を表示する表示部と、
ユーザ入力を受け付ける入力部と、
前記情報処理端末の位置情報を測定する位置測定部と、
外部の装置と通信する通信部と、
制御部とを備え、
前記制御部は、前記位置情報が示す位置における前記高さ情報が示す高さの紫外線強度
情報または放射線強度情報を、前記外部の装置へ送信し、前記情報処理端末周辺の紫外線
強度情報または放射線強度情報を、前記外部の装置から受信する制御を行い、
前記入力部は、ユーザから目的地情報を入力し、
前記制御部は、前記高さ測定部が取得した高さ情報又は前記高さ測定部で前記高さが推
定できない場合は前記入力部に入力された高さ情報と、前記目的地情報と、に基づいて、
前記高さ情報が示す高さまたはその近傍の高さにおける目的地までの前記紫外線強度情報
または前記放射線強度情報の変化を算出し、前記紫外線強度情報または前記放射線強度情
報が示す値の和が最小となる経路を前記表示部に表示する制御を行い、前記経路の探索に
際して、複数のユーザがいる場合は複数のユーザの紫外線照射量の合計値、又は放射線照
射量の合計値が最小となる経路を選択し、前記表示部は、選択された経路を表示する、
ことを特徴とする情報処理端末。
【請求項２】
情報処理端末に、
紫外線強度または放射線強度を測定し、紫外線強度情報または放射線強度情報を取得す
る測定ステップと、
前記情報処理端末の地面からの高さを測定し、高さ情報を取得する高さ測定ステップと
、
前記情報処理端末の位置情報を測定する位置測定ステップと、
外部の装置と通信する通信ステップと、
ユーザ入力を受け付ける入力ステップと、
情報を表示する表示ステップと、を含み
前記通信ステップにおいて、前記位置情報が示す位置における前記高さ情報が示す高さ
の紫外線強度情報または放射線強度情報を、前記外部の装置へ送信し、前記情報処理端末
周辺の紫外線強度情報または放射線強度情報を、前記外部の装置から受信し、
前記入力ステップにおいて、ユーザから目的地情報の入力を受け付け、
前記取得した高さ情報又は前記高さ測定ステップで前記高さが推定できない場合は前記
入力ステップで入力を受け付けた高さ情報と、前記目的地情報と、に基づいて、前記高さ
情報が示す高さまたはその近傍の高さにおける目的地までの前記紫外線強度情報または前
記放射線強度情報の変化を算出し、前記紫外線強度情報または前記放射線強度情報が示す
値の和が最小となる経路を表示する制御を行い、前記経路の探索に際して、複数のユーザ
がいる場合は複数のユーザの紫外線照射量の合計値、又は放射線照射量の合計値が最小と
なる経路を選択し、前記表示ステップにおいて、選択された経路を表示する、
処理を実行させるためのプログラム。
【発明の詳細な説明】
【技術分野】
【０００１】
本発明は、情報処理端末、及びプログラムに関する。
【背景技術】
【０００２】
本技術分野の背景技術として、特開2005-258107号公報（特許文献１）がある。この公報には、「ある時刻のある対象地域における日陰分布を地図上に表示した日陰分布地図を容易に作成することが可能な日陰分布地図作成装置を提供する」と記載されている（要約参照）。
【先行技術文献】
【特許文献】
【０００３】
【特許文献１】特開2005-258107号公報
【発明の概要】
【発明が解決しようとする課題】
【０００４】
しかしながら、前記特許文献１には、日陰分布地図を作成するための紫外線強度の測定方法が具体的に示されていない。
そこで、本発明は、環境条件に関する情報をより好適にユーザに示す技術を提供する。
【課題を解決するための手段】
【０００５】
上記課題を解決するために、例えば特許請求の範囲に記載の構成を採用する。
本願は上記課題を解決する手段を複数含んでいるが、その一例を挙げるならば、情報処理端末であって、紫外線強度または放射線強度を測定し、紫外線強度情報または放射線強度情報を取得する測定部と、情報処理端末の地面からの高さを測定し、高さ情報を取得する高さ測定部と、情報を表示する表示部と、ユーザ入力を受け付ける入力部と、前記情報処理端末の位置情報を測定する位置測定部と、外部の装置と通信する通信部と、制御部とを備え、前記制御部は、前記位置情報が示す位置における前記高さ情報が示す高さの紫外線強度情報または放射線強度情報を、前記外部の装置へ送信し、前記情報処理端末周辺の紫外線強度情報または放射線強度情報を、前記外部の装置から受信する制御を行い、前記入力部は、ユーザから目的地情報を入力し、前記制御部は、前記高さ測定部が取得した高さ情報又は前記高さ測定部で前記高さが推定できない場合は前記入力部に入力された高さ情報と、前記目的地情報と、に基づいて、前記高さ情報が示す高さまたはその近傍の高さにおける目的地までの前記紫外線強度情報または前記放射線強度情報の変化を算出し、前記紫外線強度情報または前記放射線強度情報が示す値の和が最小となる経路を前記表示部に表示する制御を行い、前記経路の探索に際して、複数のユーザがいる場合は複数のユーザの紫外線照射量の合計値、又は放射線照射量の合計値が最小となる経路を選択し、前記表示部は、選択された経路を表示することを特徴とする。
【発明の効果】
【０００６】
本発明によれば、環境条件に関する情報をより好適にユーザに示すことができる。
【図面の簡単な説明】
【０００７】
【図１】システム構成の一例を示す図である。
【図２】紫外線情報収集表示端末１０の構成例を示す図である。
【図３】紫外線情報解析サーバ２０の構成例を示す図である。
【図４】紫外線情報収集表示端末１０における、紫外線強度測定シーケンスの一例である。
【図５】紫外線情報収集表示端末１０に記録される測定情報の一例である。
【図６】紫外線情報解析サーバ２０における、紫外線強度収集シーケンスの一例である。
【図７】紫外線情報収集表示端末１０における、紫外線強度地図表示シーケンスの一例である。
【図８】放射線情報収集表示端末１１の構成例を示す図である。
【図９】放射線情報解析サーバ２１の構成例を示す図である。
【図１０】放射線情報収集表示端末１１に記録される測定情報の一例である。
【図１１】紫外線情報収集表示端末１２の構成例を示す図である。
【図１２】紫外線情報収集表示端末１２における低紫外線強度経路表示シーケンスの一例である。
【図１３（ａ）】紫外線情報収集表示端末１０に記録される地図の一例である。
【図１３（ｂ）】紫外線情報収集表示端末１０に記録される地図の一例である。
【図１４】放射線情報収集表示端末１３の構成例を示す図である。
【発明を実施するための形態】
【０００８】
以下、実施例について図面を用いて説明する。なお、図面において、同一符号は、同一または相当部分を示す。また、本発明は、図示例に限定されるものではない。
【実施例１】
【０００９】
本発明に係る実施形態１を、図１〜７を用いて説明する。
【００１０】
健康意識の高まりにより、紫外線照射による人体への影響が注目されている。適度な紫外線照射を受けることはカルシウムの吸収促進のために有効だが、過度な照射を受けると皮膚癌の促進、角膜炎、白内障の促進等につながる可能性がある。
そのため、テレビ局発表の天気予報に紫外線情報も付加表示される場合がある。しかし、人体が受ける紫外線には太陽から直接照射される直接光、空気中の分子で散乱された散乱光、地面や建物に反射された反射光があり、特に反射光の影響は場所や標高によって異なる。また、紫外線の照射量は個人によって異なる場合がある。
本実施例は高さ情報を考慮して紫外線強度を測定、表示することで、各々のユーザに、より好適に紫外線強度を知らせることができる技術について説明する。
【００１１】
図１は、本実施例に係るシステムの構成の一例を示した図である。
本実施例に係るシステムは、紫外線情報収集表示端末１０、紫外線情報解析サーバ２０、外部ネットワーク３０から構成される。
【００１２】
紫外線情報収集表示端末１０は、例えば携帯電話などであり、紫外線強度を測定、表示する端末である。
【００１３】
紫外線情報解析サーバ２０は、紫外線情報収集表示端末１０の測定データを収集するサーバである。
【００１４】
外部ネットワーク３０は、例えばインターネットなどである。紫外線情報収集表示端末１０と紫外線情報解析サーバ２０は外部ネットワーク３０を介して相互に接続できる。
【００１５】
図２は、紫外線情報収集表示端末１０の構成の一例を示す図である。
紫外線情報収集表示端末１０は、紫外線測定部１０１、位置測定部１０２、高さ測定部１０３、通信部１０４、入力部１０５、表示部１０６、制御部１０７、ストレージ１０８、メモリ１０９、バス１１３、電源供給部１１４を備える。
【００１６】
なお、紫外線情報収集表示端末１０は、紫外線情報処理プログラム１１０、ＧＰＳ情報処理プログラム１１１、高さ情報処理プログラム１１２をストレージ１０８に格納しており、制御部１０６がストレージ１０８から上記プログラムをメモリ１０９に展開し、制御部１０６が上記プログラムを実行することで本実施例の処理を実現できる。なお、プログラムは、端末が出荷されるまでに予めストレージに格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介して端末にインストールされても良い。また、通信部１０４を介して外部ネットワーク３０からダウンロード、若しくは基地局からダウンロードしてインストールすることも可能である。
【００１７】
また、紫外線情報処理プログラム１１０、ＧＰＳ情報処理プログラム１１１、高さ情報処理プログラム１１２は、同様の機能を持つ処理部として、ハードウェアで実現することも可能である。ハードウェアとして実現する場合は、各処理部が主体となって各機能を実現する。
【００１８】
紫外線測定部１０１は、紫外線強度を測定する測定部である。紫外線測定部１０１の例として、紫外線強度に応じて発生電圧が変化する半導体センサ等がある。
【００１９】
位置測定部１０２は、位置情報を測定する測定部である。位置測定部１０２の例として、ＧＰＳ（Ｇｌｏｂａｌ  Ｐｏｓｉｔｉｏｎｉｎｇ  Ｓｙｓｔｅｍ）等がある。
【００２０】
高さ測定部１０３は、紫外線情報収集表示端末１０の地表（地面）からの高さを測定する測定部である。高さ測定部１０３の例として、赤外線センサや超音波センサ等があり、地表に向かって赤外線や超音波を照射し、その反射までの時間から高さを測定することが可能である。
【００２１】
通信部１０４は、無線ＬＡＮ、Ｂｌｕｅｔｏｏｔｈ（登録商標）、赤外線通信、ＩＣタグ機能、ＴｒａｎｓｆｅｒＪＥＴ（登録商標）、ＬＴＥ、ＨＳＰＡ（Ｈｉｇｈ  Ｓｐｅｅｄ  Ｐａｃｋｅｔ  Ａｃｃｅｓｓ）、ＥＶ−ＤＯ（Ｅｖｏｌｕｔｉｏｎ  Ｄａｔａ  Ｏｎｌｙ）、及びＷｉＭＡＸ等の無線通信機能、または、Ｅｔｈｅｒｎｅｔ（登録商標）等の有線通信機能を備え、各種の情報を送受信する。無線通信機能は、アンテナ、及び変復調回路等を含む。有線通信機能は、コネクタ、及び変復調回路等を含む。情報の送受信には、ネットワークを介して行うネットワーク通信と、ネットワークを介さずに各機器間で直接通信を行う直接通信（例えばＢｌｕｅｔｏｏｔｈ（登録商標）、ワイヤレスＵＳＢ、Ｆｅｌｉｃａ（登録商標）、ＺｉｇＢｅｅ（登録商標）、Ｚ−ＷＡＶＥ（登録商標）、可視光通信、赤外線通信）を適宜切り替えて使用できる。通信部１０４は、複数の通信方式に対応するよう構成されても良い。
【００２２】
入力部１０５は、キーボード、マウス、カーソルキー、及びテンキー等の一または複数を備え、ユーザの操作を受け付け、当該操作に基づいた入力信号を制御部１０７に入力する。なお、音声認識、画像認識、またはジェスチャ認識等によって入力信号を生成し、制御部１０７に入力するようにしても良い。また、タッチパネルのように、表示部１０６と入力部１０５とが一体となった構成であっても良い。
【００２３】
表示部１０６は、液晶ディスプレイ、有機ＥＬ（Ｅｌｅｃｔｒｏ−Ｌｕｍｉｎｅｓｃｅｎｃｅ）ディスプレイ、及び電子ペーパー等のパネル並びにドライバ回路等から構成され、制御部１０７の制御下にて任意の情報（例えば、文字、静止画、及び動画等）を表示する。なお、表示部１０６は、それぞれ異なる情報を表示可能な複数のパネルを有していても良い。
【００２４】
制御部１０７は、ＣＰＵ（Ｃｅｎｔｒａｌ  Ｐｒｏｃｅｓｓｉｏｎｇ  Ｕｎｉｔ）、ＭＰＵ（Ｍｉｃｒｏ  Ｐｒｏｃｅｓｓｉｏｎｇ  Ｕｎｉｔ）、及びＤＳＰ（Ｄｉｇｉｔａｌ  Ｓｉｇｎａｌ  Ｐｒｏｃｅｓｓｏｒ）等から構成され、所定のプログラムを実行するなどして、紫外線情報収集表示端末１０全体の動作を制御する。
【００２５】
ストレージ１０８は、紫外線情報収集表示端末１０に内蔵される記録媒体や、取り外し可能な外部記録媒体や光ディスクなどで構成され、各種の情報を記録する。例えば、制御部１０６の指示により制御され、アプリケーションプログラムを保存することができる。また、アプリケーションプログラムで作成した各種情報を保存する。例えば、紫外線強度、高さ情報、ＧＰＳ情報用のデータベースを記録する。
【００２６】
メモリ１０９は、ＤＲＡＭ（Ｄｙｎａｍｉｃ  Ｒａｎｄｏｍ  Ａｃｃｅｓｓ  Ｍｅｍｏｒｙ）などから構成され、制御部１０７の指示により制御される。メモリ１０９に、ストレージ１０８に格納しているアプリケーションプログラムの機能部が展開される。
【００２７】
バス１１３は、各部が相互に信号を伝送するための伝送路である。
【００２８】
電源供給部１１４は、バッテリ、ＡＣアダプタ、及び充電回路等から構成され、紫外線情報収集表示端末１０の各部への電源供給や、バッテリへの充電を行う。また、紫外線情報収集表示端末１０がバッテリ駆動されているか、ＡＣアダプタ駆動されているかといった状態確認や、バッテリの残量確認を行う。
【００２９】
図３は、紫外線情報解析サーバ２０の構成の一例を示す図である。
紫外線情報解析サーバ２０は、通信部２０１、入力部２０２、表示部２０３、制御部２０４、電源供給部２０５、ストレージ２０６、メモリ２０７、バス２０９を備える。
また、紫外線情報解析サーバ２０は、地図作成処理プログラム２０８をストレージ２０６に格納しており、制御部２０４がストレージ２０６から上記プログラムをメモリ２０７に展開し、制御部２０４が上記プログラムを実行することで本実施例の処理を実現できる。なお、プログラムは、サーバが出荷されるまでに予めストレージに格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介してサーバにインストールされても良い。また、通信部２０１を介して外部ネットワーク３０からダウンロード、若しくは基地局からダウンロードしてインストールすることも可能である。
また、地図作成処理プログラム２０８は、同様の機能を持つ処理部として、ハードウェアで実現することも可能である。ハードウェアとして実現する場合は、処理部が主体となって各機能を実現する。
【００３０】
通信部２０１、入力部２０２、表示部２０３は、紫外線情報収集表示端末１０と同様の機能を有するため説明を省略する。
【００３１】
制御部２０４は、ＣＰＵ（Ｃｅｎｔｒａｌ  Ｐｒｏｃｅｓｓｉｏｎｇ  Ｕｎｉｔ）、ＭＰＵ（Ｍｉｃｒｏ  Ｐｒｏｃｅｓｓｉｏｎｇ  Ｕｎｉｔ）、及びＤＳＰ（Ｄｉｇｉｔａｌ  Ｓｉｇｎａｌ  Ｐｒｏｃｅｓｓｏｒ）等から構成され、所定のプログラムを実行するなどして、紫外線情報解析サーバ２０全体の動作を制御する。
【００３２】
電源供給部２０５は、ＵＰＳ（Ｕｎｉｎｔｅｒｒｕｐｔｉｂｌｅ  Ｐｏｗｅｒ  Ｓｕｐｐｌｙ）、ＡＣアダプタ、及び充電回路等から構成され、紫外線情報解析サーバ２０の各部への電源供給を行う。また、停電時にはＵＰＳと切り替えて電力供給が滞らないように調整する。
【００３３】
ストレージ２０６は、紫外線情報解析サーバ２０に内蔵される記録媒体や、取り外し可能な外部記録媒体や光ディスクなどから構成され、各種の情報を記録する。例えば、制御部２０４の指示により制御され、アプリケーションプログラムを保存することができる。また、アプリケーションプログラムで作成した各種情報を保存する。例えば、紫外線強度、高さ情報、ＧＰＳ情報用のデータベースを記録する。
【００３４】
メモリ２０７は、ＤＲＡＭ（Ｄｙｎａｍｉｃ  Ｒａｎｄｏｍ  Ａｃｃｅｓｓ  Ｍｅｍｏｒｙ）などから構成され、制御部２０４の指示により制御される。メモリ２０７に、ストレージ２０６に格納しているアプリケーションプログラムの機能部が展開される。
【００３５】
バス２０９は、各部が相互に信号を伝送するための伝送路である。
【００３６】
図４は、紫外線情報収集表示端末１０の紫外線強度測定シーケンスの一例である。
Ｓ１０１において、制御部１０７は高さ情報処理プログラム１１２を起動し、高さ測定部１０３を用いて地表からの高さを補正する。ここで、本実施例における高さとは、海抜を基準とした絶対高度ではなく、紫外線情報収集表示端末１０の地表からの距離であり相対値である。したがって、測定場所の絶対高度が著しく高い場所（例えば高層ビルの中等）で測定が必要な場合には、ユーザが入力部１０５を通じて絶対高度を入力する。
【００３７】
Ｓ１０２において制御部１０７は、紫外線情報処理プログラム１１０と紫外線測定部１０１を用いて紫外線強度を、ＧＰＳ情報処理プログラム１１１と位置測定部１０２を用いてＧＰＳ情報を、高さ情報処理プログラム１１２と高さ測定部１０３を用いて高さ情報を、それぞれ測定する。測定された紫外線強度とＧＰＳ情報と高さ情報は、対応付けられてストレージ１０８に保存される。
【００３８】
Ｓ１０３において、制御部１０７は通信部１０４を用いてＳ１０２の測定結果を紫外線情報解析サーバ２０に送信する。
【００３９】
なお、Ｓ１０２等において高さが測定できなかった場合、制御部１０７はユーザに紫外線情報収集表示端末１０の固定設置を促す表示や、高さが測定できなかったことを示すエラー表示や、ユーザに高さを入力することを促す表示等を行うように表示部１０６を制御し、高さ情報を取得してから紫外線強度の測定を開始する。このように処理を行うことにより、紫外線情報収集表示端末１０は高さ情報を取得することができる。また、ユーザが高さを入力することにより、例えば紫外線情報収集表示端末１０がズボンのポケットの中にある場合や、自動二輪車用のヘルメットなどに紫外線情報収集表示端末１０を取り付けれている場合等、高さ測定部１０３により高さを測定しにくい場合であっても、所望の高さ情報を取得できる効果が得られる。
【００４０】
なお、Ｓ１０３の実行タイミングはＳ１０２の実行後毎でもよいし、Ｓ１０３を所定時間間隔（例えば５分間隔）で実行してもよい。前者の場合、紫外線情報解析サーバ２０がリアルタイムにデータを取得できるため、紫外線強度表示地図の配信頻度を上げられるメリットがある。後者の場合、送信間隔を減らすことで紫外線情報収集表示端末１０の消費電力を抑えてより長時間利用できるメリットがある。
【００４１】
図５は、紫外線情報収集表示端末１０のストレージ１０８に記録される測定情報の一例である。測定情報は、「日時」、「ＧＰＳ」、「高さ」、「紫外線強度」から成る。なお、本実施例では「紫外線強度」の単位として、人体への紫外線影響指標である紫外線インデックスを用いているが、紫外線強度のエネルギー値をそのまま用いても本実施例の効果は変わらない。
【００４２】
図６は、紫外線情報解析サーバ２０の紫外線強度収集シーケンスの一例である。
Ｓ２０１において、制御部２０４は地図作成処理プログラム２０８を起動し、ストレージ２０６に保存されている紫外線情報収集表示端末１０から送信されたデータの内、ＧＰＳ情報を参照して、当該ＧＰＳ情報が示す測定位置における高さ情報に応じた紫外線強度を地図情報に合成する。
ここで、地図情報は平面の地図を表示するための地図情報であっても、対象物を立体的に表示する地図を表示するための地図情報であっても良い。例えば、二次元の地図である場合は、高さ情報及び／または当該高さ情報に応じた紫外線強度を地図情報に合成して、ＧＰＳ情報が示す測定位置における、ある高さの紫外線強度が把握できるような地図情報を作成する。
【００４３】
Ｓ２０２において、制御部２０４は通信部２０１を介して紫外線情報収集表示端末１０から地図送信要求を受けると、Ｓ２０１で作成された地図情報を紫外線情報収集表示端末１０に送信する。
【００４４】
図７は、紫外線情報収集表示端末１０の紫外線強度地図表示シーケンスの一例である。
Ｓ３０１において、制御部１０７は通信部１０４を介して紫外線情報解析サーバ２０へ地図情報を要求し、受信した地図情報をストレージ１０８へ保存する。
【００４５】
Ｓ３０２において、制御部１０７は高さ情報処理プログラム１１２を起動する。
【００４６】
Ｓ３０３において、制御部１０７は高さ情報処理プログラム１１２で測定した高さとＳ３０１で受信した地図情報に含まれる高さを比較し、高さ情報処理プログラム１１２で測定した高さと同じ(あるいは近傍の)高さの紫外線強度を含んだ地図情報を表示部１０６へ表示する。なお、近傍の高さとは、高さ情報処理プログラム１１２で測定した高さの例えば上下数ｃｍ以内など、高さ情報処理プログラム１１２で測定した高さを基準として所定の範囲に属する高さをいう。
【００４７】
なお、紫外線強度は日時によって変化するため、Ｓ３０１において受信する地図情報は、例えばその所定時間前までの日時情報と対応付けられた紫外線強度を含む地図情報とすることで、変化する紫外線強度にも対応することができる。
【００４８】
以上のように、本実施例によれば、紫外線情報収集表示端末１０を有するユーザによって様々な位置、高さにおける紫外線強度が紫外線情報解析サーバ２０に累積的に蓄積されることとなり、ユーザは周辺の所望の高さにおける紫外線強度を地図情報から把握することができるようになる。したがって、各々のユーザに、より好適に紫外線強度を知らせることができる。
また、高さ情報に応じた紫外線強度が地図情報に付加されるため、紫外線情報収集表示端末１０を持つユーザが端末を高さ方向に動かすことで、その高さ情報に応じた紫外線強度を随時知ることができる。そのため、例えば運動する子どもたちに紫外線情報収集表示端末１０を持たせて紫外線強度を測定したり、監督者である大人が紫外線情報収集表示端末１０を子どもの目線の高さに合わせて紫外線強度を測定すれば、子どもの目線に照射される紫外線強度を精度よく知ることができるため、運動時の注意喚起につながる効果がある。
また、ベビーカーに乗る幼児と、ベビーカーを操作する保護者の場合では、幼児のどの部分に紫外線が強く照射されるか等を知ることができるため、保護者が幼児と屋外散歩するときの注意喚起につながる効果がある。
【実施例２】
【００４９】
本発明に係る実施形態２を、図８〜１０を用いて説明する。
放射線による健康被害が懸念されている。放射線はある地域で特に強度が高いホットスポットと呼ばれるポイントが測定されることがあり、同じ場所でも高さによって人体への被曝量が異なる可能性もある。そこで、高精度な放射線測定方法が求められる。
本実施例は高さ情報を考慮して放射線強度を測定、表示することで、各々のユーザに、より好適に放射線強度を知らせることができる技術について説明する。実施例１とは測定対象が異なるため、測定端末には、紫外線強度地図でなく放射線強度地図を表示させる放射線情報収集表示端末１１を用いる。
【００５０】
システム構成は図１の紫外線情報収集表示端末１０を放射線情報収集表示端末１１とし、紫外線情報解析サーバ２０を放射線情報解析サーバ２１とすることで同様のため省略する。
【００５１】
図８は、実施例２における放射線情報収集表示端末１１を示す構成図の例である。
図８の放射線情報収集表示端末１１のうち、既に説明した図２に示された同一の符号を付された構成と同一の機能を有する部分については、説明を省略する。
また、放射線情報収集表示端末１１は、放射線情報処理プログラム３１０、ＧＰＳ情報処理プログラム１１１、高さ情報処理プログラム１１２をストレージ１０８に格納しており、制御部１０７がストレージ１０８から上記プログラムをメモリ１０９に展開し、制御部１０７が上記プログラムを実行することで本実施例の処理を実現できる。なお、プログラムは、端末が出荷されるまでに予めストレージ１０８に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介して端末にインストールされても良い。また、通信部１０４を介して外部ネットワーク３０からダウンロード、若しくは基地局からダウンロードしてインストールすることも可能である。
また、放射線情報処理プログラム３１０、ＧＰＳ情報処理プログラム１１１、高さ情報処理プログラム１１２は、同様の機能を持つ処理部として、ハードウェアで実現することも可能である。ハードウェアとして実現する場合は、各処理部が主体となって各機能を実現する。
【００５２】
放射線測定部３０１は、放射線強度を測定する測定部である。測定部の例として、放射線を電圧変化で感知するガイガー・ミューラー管などがある。
【００５３】
図９は、放射線情報解析サーバ２１の構成の一例を示す図である。
図９の放射線情報解析サーバ２１のうち、既に説明した図３に示された同一の符号を付された構成と同一の機能を有する部分については、説明を省略する。
【００５４】
図１０は、放射線情報収集表示端末１１のストレージ１０８に記録される測定情報の一例である。測定情報は、「日時」、「ＧＰＳ」、「高さ」、「放射線強度」から成る。本実施例では「放射線強度」の単位として、シーベルトを用いているが、放射線強度のエネルギー値をそのまま用いても本実施例の効果は変わらない。
【００５５】
なお、放射線情報収集表示端末１１の放射線強度測定シーケンスの一例は、図４における紫外線強度測定シーケンスを放射線測定とすれば同様であるため説明を省略する。
また、放射線情報解析サーバ２１の放射線強度収集シーケンスの一例は、図６における紫外線強度収集シーケンスを放射線強度収集とすれば同様であるため説明を省略する。
また、放射線情報収集表示端末１１の放射線強度地図表示シーケンスの一例は、図７における紫外線強度地図表示シーケンスを放射線強度表示とすれば同様であるため説明を省略する。
【００５６】
以上のように、本実施例によれば、放射線強度に関して実施例１と同様の効果を得ることができる。
また、高さ情報に応じた放射線強度が地図情報に付加されるため、放射線情報収集表示端末１１を持つユーザが端末を高さ方向に動かすことで、高さと場所に応じた放射線強度を随時知ることができる。そこで、例えば一定間隔の高さに放射線情報収集表示端末１１を設置した棒状の測定器を用いてある位置を測れば、ホットスポットなどの高濃度放射線汚染地帯が高さ方向にある場合、精度よく検出可能である。そのため、単一的な測定では知りえなかった放射線強度の高い地点を精度よく知ることができる効果がある。
【実施例３】
【００５７】
本発明に係る実施形態３を、図１１〜１３を用いて説明する。本実施例は紫外線強度に関し、複数の人数に好適な紫外線強度の経路の算出を行う点が実施例１と異なる。
【００５８】
システム構成は図１と同様のため省略する。ただし、以降、図１の紫外線情報収集表示端末１０を紫外線情報収集表示端末１２と読み替えて説明する。
【００５９】
図１１は紫外線情報収集表示端末１２の構成の一例を示す図である。
紫外線情報収集表示端末１２において、実施例１の紫外線情報収集表示端末１０と同一の機能を有する部分については説明を省略する。
また、紫外線情報収集表示端末１２は、紫外線情報処理プログラム１１０、ＧＰＳ情報処理プログラム１１１、高さ情報処理プログラム１１２、経路算出処理プログラム５１３をストレージ１０８に格納しており、制御部１０７がストレージ１０８から上記プログラムをメモリ１０９に展開し、制御部１０７が上記プログラムを実行することで本実施例の処理を実現できる。なお、プログラムは、端末が出荷されるまでに予めストレージ１０８に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介して端末にインストールされても良い。また、通信部１０４を介して外部ネットワーク３０からダウンロード、若しくは基地局からダウンロードしてインストールすることも可能である。
また、紫外線情報処理プログラム１１０、ＧＰＳ情報処理プログラム１１１、高さ情報処理プログラム１１２、経路算出処理プログラム５１３は、同様の機能を持つ処理部として、ハードウェアで実現することも可能である。ハードウェアとして実現する場合は、各処理部が主体となって各機能を実現する。
【００６０】
紫外線情報解析サーバ２０の構成は実施例１と同様のため説明を省略する。
また、紫外線情報収集表示端末１２の紫外線強度測定シーケンスの一例は、実施例１における図４と同様のため説明を省略する。
また、紫外線情報解析サーバ２０の紫外線強度収集シーケンスの一例は、実施例１における図６と同様のため説明を省略する。
【００６１】
図１２は、紫外線情報収集表示端末１２の低紫外線強度経路表示シーケンスの一例である。
Ｓ４０１において、制御部１０７は通信部１０４を介して紫外線情報解析サーバ２０へ地図情報を要求し、受信した地図情報をストレージ１０８へ保存する。
Ｓ４０２において、制御部１０７は入力部１０５を介してユーザから目的地および高さ情報の入力を待つ。なお、高さ情報は高さ測定部１０３で測定しても良い。
Ｓ４０３において、制御部１０７はＧＰＳ情報処理プログラム１１１を起動して現在の位置を取得し、Ｓ４０１で得た地図情報およびＳ４０２で得た入力情報を元に目的地までの経路を算出する。
【００６２】
図１３(ａ)は、図５の「高さ」が１４０ｃｍにおける紫外線強度を表した地図の一例であり、図１３(ｂ)は、図５の「高さ」が１００ｃｍにおける紫外線強度を表した地図の一例である。Ｓ４０３の経路算出手順を図１３(ａ)、(ｂ)を用いて説明する。
各地点間の数値は紫外線インデックス値である。現在地をＡ、目的地をＬとする。目的地までの経路は複数考えられるが、分岐点毎に目的地までの合計紫外線照射量が最小となるように分岐を選択する。図１３(ａ)(ｂ)の場合、Ａ→Ｂ→Ｅ→Ｆ→Ｉ→Ｌを選択する場合が二人の合計紫外線照射量の和が最小となる。
ところで、図１３(ａ)のユーザ単独の場合、紫外線インデックス値の和が最小となる経路は、Ａ→Ｂ→Ｅ→Ｈ→Ｋ→Ｌとなり、図１３(ａ)のユーザと図１３(ｂ)のユーザが同時に移動するときの最適経路とは一致しない。
【００６３】
なお、本実施例では、ユーザが２人の場合で説明したが、１人の場合も３人以上の場合も同様の処理を行うことで同様の効果を得られる。
また、実施例１で示したように、入力あるいは測定した高さの近傍の高さの紫外線強度を基に経路を算出しても良い。また、実施例１で示したように、日時情報を考慮することで、変化する紫外線強度に対応することもできる。
【００６４】
以上のように、本実施例によれば、実施例１と同様の効果を得ることができる。
また、高さ情報に応じた紫外線強度を付加した地図情報を用いて目的地までの経路探索をする際に、二人以上のユーザに対する紫外線照射量の合計値が最小となる経路を選択できるため、例えば身長差のある親子がある地点からある地点へを移動するときに、より精度よく紫外線照射量が少ない経路を選択できる効果がある。
なお、本実施例では、紫外線情報収集表示端末１２が最適経路を算出する場合の例を説明したが、紫外線情報解析サーバ２０が最適経路を算出して紫外線情報収集表示端末１２に送信してもよい。その場合、紫外線情報収集表示端末１２の負荷が減るため、消費電力を削減できるという効果が得られる。
【実施例４】
【００６５】
本発明に係る実施形態４を、図１４を用いて説明する。本実施例は放射線強度に関し、複数の人数に好適な放射線強度の経路の算出を行う点が実施例３と異なる。
【００６６】
システム構成は図１の紫外線情報収集表示端末１０を放射線情報収集表示端末１３とし、紫外線情報解析サーバ２０を放射線情報解析サーバ２１とすることで同様のため省略する。
【００６７】
図１４は、実施例４における放射線情報収集表示端末１３を示す構成図の例である。
図１４の放射線情報収集表示端末１３において、実施例２の図８の放射線情報収集表示端末１１と同一の機能を有する部分については説明を省略する。
また、放射線情報収集表示端末１３は、放射線情報処理プログラム３１０、ＧＰＳ情報処理プログラム１１１、高さ情報処理プログラム１１２、経路算出処理プログラム６１３をストレージ１０８に格納しており、制御部１０７がストレージ１０８から上記プログラムをメモリ１０９に展開し、制御部１０７が上記プログラムを実行することで本実施例の処理を実現できる。なお、プログラムは、端末が出荷されるまでに予めストレージ１０８に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介して端末にインストールされても良い。また、通信部１０４を介して外部ネットワーク３０からダウンロード、若しくは基地局からダウンロードしてインストールすることも可能である。
また、放射線情報処理プログラム３１０、ＧＰＳ情報処理プログラム１１１、高さ情報処理プログラム１１２、経路算出処理プログラム６１３は、同様の機能を持つ処理部として、ハードウェアで実現することも可能である。ハードウェアとして実現する場合は、各処理部が主体となって各機能を実現する。
【００６８】
放射線情報解析サーバ２１の構成は実施例２と同様のため説明を省略する。
また、放射線情報収集表示端末１３の放射線強度測定シーケンスの一例は、実施例２における放射線強度測定シーケンスと同様のため説明を省略する。
また、放射線情報解析サーバ２１の放射線強度収集シーケンスの一例は、実施例２における放射線強度収集シーケンスと同様のため説明を省略する。
また、放射線情報収集表示端末１３の低放射強度経路表示シーケンスの一例は、実施例３における低紫外線強度経路表示シーケンスの紫外線を放射線と読み替えれば同様のため説明を省略する。
【００６９】
以上のように、本実施例によれば、放射線強度に関して実施例１乃至３と同様の効果を得ることができる。
また、高さに応じた放射線強度を付加した地図情報を用いて目的地までの経路探索をする際に、二人以上のユーザに対する放射線照射量の合計値が最小となる経路を選択できるため、例えば身長差のある親子がある地点を移動するときに、より精度よく放射線照射量が少ない経路を選択できる効果がある。
なお、本実施例では、放射線情報収集表示端末１３が最適経路を算出する場合を説明したが、放射線情報解析サーバ２１が最適経路を算出して放射線情報収集表示端末１３に送信してもよい。その場合、放射線情報収集表示端末１３の負荷が減り、消費電力を削減できるという効果が得られる。
【００７０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上述の通り、上記の各構成、機能、処理部、処理手段等は、それらの一部又は全部を、例えば集積回路で設計する等によりハードウェアで実現してもよい。また、上述の通り、上記の各構成、機能等は、プロセッサがそれぞれの機能を実現するプログラムを解釈し、実行することによりソフトウェアで実現してもよい。各機能を実現するプログラム、テーブル、ファイル等の情報は、上述の通り、メモリや、ハードディスク、ＳＳＤ（Solid State Drive）等の記録装置、または、ＩＣカード、ＳＤカード、ＤＶＤ等の記録媒体に置くことができる。 
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７１】
１０    紫外線情報収集表示端末
２０    紫外線情報解析サーバ
３０    外部ネットワーク
１０１  紫外線測定部
１０２  位置測定部
１０３  高さ測定部
１０４  通信部
１０５  入力部
１０６  表示部
１０７  制御部
１０８  ストレージ
１０９  メモリ
１１０  紫外線情報処理
１１１  ＧＰＳ情報処理
１１２  高さ情報処理
１１３  バス
１１４  電源供給部
２０１  通信部
２０２  入力部
２０３  表示部
２０４  制御部
２０５  電源供給部
２０６  ストレージ
２０７  メモリ
２０８  地図作成処理
２０９  バス
３０１  放射線測定部
３１０  放射線情報処理
５１３  経路算出処理
６１３  経路算出処理
【図１】
0006030860.tif 000002
【図２】
0006030860.tif 000003
【図３】
0006030860.tif 000004
【図４】
0006030860.tif 000005
【図５】
0006030860.tif 000006
【図６】
0006030860.tif 000007
【図７】
0006030860.tif 000008
【図８】
0006030860.tif 000009
【図９】
0006030860.tif 000010
【図１０】
0006030860.tif 000011
【図１１】
0006030860.tif 000012
【図１２】
0006030860.tif 000013
【図１３（ａ）】
0006030860.tif 000014
【図１３（ｂ）】
0006030860.tif 000015
【図１４】
0006030860.tif 000016